(57)【要約】【課題】  共振を抑制することができる光ピックアップを提供すること。【解決手段】  本発明による光ピックアップは、対物レンズ（７１）を揺動可能に支持する光ピックアップアクチュエータ（２００）と、この光ピックアップアクチュエータを収容する開口（３００ａ）を持つ光学ベース（３００）とを有する。開口（３００ａ）に収容された光ピックアップアクチュエータ（２００）は、弾性樹脂材料（９１Ａ）を使用して光学ベース（３００）に揺動可能に保持されている。【選択図】      図８
2006066005.tif 000002
【特許請求の範囲】
【請求項１】
対物レンズを揺動可能に支持する光ピックアップアクチュエータと、該光ピックアップアクチュエータを収容する開口を持つ光学ベースとを有する光ピックアップにおいて、
前記開口に収容された前記光ピックアップアクチュエータが弾性樹脂材料を使用して前記光学ベースに揺動可能に保持されていることを特徴とする光ピックアップ。
【請求項２】
前記弾性樹脂材料がダンピングの高いＵＶ接着剤である、請求項１に記載の光ピックアップ。
【請求項３】
前記開口に収容された前記光ピックアップアクチュエータが、前記光ピックアップアクチュエータと前記光学ベースとの間の隙間に前記弾性樹脂材料を複数個所で塗布することにより、前記光学ベースに揺動可能に保持されている、請求項１に記載の光ピックアップ。
【請求項４】
前記開口に収容された前記光ピックアップアクチュエータが、前記光ピックアップアクチュエータと前記光学ベースとの間の隙間に前記弾性樹脂材料を全周に渡って塗布することにより、前記光学ベースに揺動可能に保持されている、請求項１に記載の光ピックアップ。
【発明の詳細な説明】
【技術分野】
【０００１】
本発明は光ディスクドライブの光ピックアップに関し、特に記録密度の異なる２種類の光ディスクを記録・再生する光ディスクドライブに適した光ピックアップに関する。
【背景技術】
【０００２】
周知のように、ＤＶＤ装置においては、ＤＶＤとＣＤとのいずれに対しても記録・再生可能にするために特別の光ピックアップを備えた光ディスクドライブを搭載したものが存在している。そのような特別の光ピックアップは、ＤＶＤ用の短波長レーザ光（波長約６５０ｎｍ）とＣＤ用の長波長レーザ光（波長約７８０ｎｍ）との２種類のレーザ光を使い分けて記録・再生を行うものであり、２波長対応光ピックアップと呼ばれている。
【０００３】
この種の２波長対応光ピックアップは、ＤＶＤ用の短波長レーザ光を出射するためのＤＶＤ用のレーザダイオード（ＬＤ）と、ＣＤ用の長波長レーザ光を出射するためのＣＤ用のレーザダイオード（ＬＤ）とを備えている（例えば、特許文献１参照）。
【０００４】
いずれにしても、この種の光ディスクドライブは、高さサイズの小さい所謂、薄型（スリム型）にされる傾向にあり、そのために光ピックアップの主要部を構成する光ピックアップアクチュエータも薄型化することが要求されている。
【０００５】
以下、図１〜図６を参照して、従来の２波長対応光ピックアップについて説明する。図１は２波長対応光ピックアップにおける光ピックアップアクチュエータの分解斜視図であり、図２は図１の光ピックアップアクチュエータの組立て後の斜視図である。図３（ａ）は図２の光ピックアップアクチュエータの平面図であり、図３（ｂ）は図２の光ピックアップアクチュエータの正面図であり、図３（ｃ）は図２の光ピックアップアクチュエータの左側面図であり、図３（ｄ）は図２の光ピックアップアクチュエータの右側面図であり、図３（ｅ）は図２の光ピックアップアクチュエータの底面図である。図４は、図２の光ピックアップアクチュエータを光学ベースに実装した状態を示す斜視図である。図５は、図２の光ピックアップアクチュエータを光学ベースに実装した状態を示す底面図である。図６（ａ）は図２の光ピックアップアクチュエータが実装される光学ベースの平面図であり、図６（ｂ）は光学ベースの正面図であり、図６（ｃ）は光学ベースの底面図である。
【０００６】
図１において、光ピックアップアクチュエータ２００は、対物レンズホルダ（以下、レンズホルダと呼ぶ）３０とボビン４０とダンパベース５０とヨーク６０とを備えている。図１では、光ピックアップアクチュエータ２００の長さ方向がタンジェンシャルＴｇ方向、幅方向がトラッキング方向Ｔｒとして示されているが、以下ではそれぞれ長さ方向、幅方向と呼ぶことがある。
【０００７】
レンズホルダ３０は、対物レンズ７１を保持するためのものである。レンズホルダ３０は、ダンパベース５０側に向けて長さ方向に延びる２本のアーム３１を有する。ボビン４０は、フォーカシングコイル４１を巻回すためのもので、その中央には後述するマグネットやヨークの立上げ部を収容するための開口４０ａを有する。ボビン４０はまた、長さ方向の両側にそれぞれ、アーム３１を受入れるための溝４０−１を有する。つまり、ボビン４０は、溝４０−１にアーム３１を嵌め込むことでレンズホルダ３０に組み合わされる。ボビン４０におけるレンズホルダ３０側に面した外側壁には２つのトラッキングコイル４２が幅方向に並べて装着されるようになっている。また、ボビン４０をレンズホルダ３０に組合わせた時、ボビン４０の上記外側壁に取り付けられたトラッキングコイル４２とレンズホルダ３０の内壁との間には少し隙間ができるようにされている。その理由については後述する。
【０００８】
ダンパベース５０は、長さ方向の両側にそれぞれ、支持部５０−１を備えている。特に、支持部５０−１は、有底の筒状体を形成するように作られており、開口している方をレンズホルダ３０側に向けている。両側の支持部５０−１にはそれぞれ、上下で一対のサスペンションワイヤ５１が取り付けられる。つまり、各サスペンションワイヤ５１の一端は、支持部５０−１の筒状体の底部を貫通して少し突き出しており、支持部５０−１から突き出した部分において固定される。各サスペンションワイヤ５１の他端は、ボビン４０の幅方向両側に設けられた固定部４０−２に固定される。つまり、各サスペンションワイヤ５１の他端は、固定部４０−２を貫通して少し突き出しており、固定部４０−２から突き出した部分において固定される。ダンパベース５０におけるレンズホルダ３０と反対側の側壁にはネジ５２により端子板５３が取り付けられる。端子板５３は、４枚の端子５３−１を有し、これらのそれぞれに支持部５０−１から突き出したサスペンションワイヤ５１の一端が半田付けにより接続される。端子板５３の上側には更に、４枚の端子５３−１を外部回路と接続するためのフレキシブルプリント配線基板５４が取り付けられる。
【０００９】
ヨーク６０は、ボビン４０、ダンパベース５０の下側に配置される。ヨーク６０は、底面部６１と、切り起こしにより底面部６１から立ち上がるように形成された２つの立上げ部６２、６２と、切り起こし及び折り曲げにより底面部６１から立ち上がるように形成された３つのＬ形状部６３、６４、６５とを有している。２つの立上げ部６２の内面側にはそれぞれ、マグネット４３が取り付けられる。なお、３つのＬ形状部６３〜６５は、後述されるスキュー角調整に際して利用されるものであり、底面部６１に平行となっている上端面にはそれぞれ、ネジ穴あるいは貫通穴６３ａ、６４ａ、６５ａが形成されている。底面部６１の一部、つまり立上げ部６２と反対側の部分はダンパベース５０を載せて固定するための固定部６６として利用される。つまり、ダンパベース５０には上下方向に貫通する２つの穴５０ａが形成されている。一方、固定部６６には２つの穴５０ａに対応するように２つのネジ穴６６ａが形成されている。ダンパベース５０の上方からネジ穴６６ａに向けて垂直方向にネジ５５を螺入することでダンパベース５０は、ヨーク６０の固定部６６に固定される。
【００１０】
勿論、ヨーク６０に対するダンパベース５０の取付けは、上記各要素の組立てを行った後に行われる。つまり、フォーカシングコイル４１及びトラッキングコイル４２を装着したボビン４０をレンズホルダ３０に組み合わせた後、ボビン４０とダンパベース５０との間をサスペンションワイヤ５１で連結する。一方、ヨーク６０にはマグネット４３を取り付ける。そして、２つの立上げ部６２がそれぞれ、ボビン４０の開口４０ａ、前述したボビン４０とレンズホルダ３０との間の隙間に入り込むようにした状態で、ダンパベース５０をヨーク６０に固定する。
【００１１】
図２及び図３（ａ）〜（ｅ）は、以上のようにして組み立てられた光ピックアップアクチュエータ２００を示す。なお、２つの立上げ部６２の上端部には閉じた磁気回路を形成するためのアッパーヨーク６８が組み付けられる。また、レンズホルダ３０には対物レンズ７１を間に挟んで２つのバンパ７２が取り付けられている。
【００１２】
図４および図５は、それぞれ光ピックアップアクチュエータ２００を光学ベース３００に実装した状態を示す斜視図および底面図である。前述したように、本光ピックアップアクチュエータ２００は２波長対応型であるので、光学ベース３００には、例えばＤＶＤ用、ＣＤ用の２つのレーザダイオード３１０、３２０が取り付けられている。光学ベース３００にはまた、これら２つのレーザダイオード３１０、３２０からのレーザビームを光ピックアップアクチュエータ２００における対物レンズ７１を通して光ディスクに照射し、その反射光を受光器に導くための各種光学要素を含む光学経路が構成される。また、光学ベース３００には外部回路との接続のためにフレキシブルプリント基板３３０（一部のみ示す）が設けられている。
【００１３】
図６に光学ベース３００を示す。図６において、（ａ）は平面図、（ｂ）は正面図、（ｃ）は底面図である。光学ベース３００は光ピックアップアクチュエータ２００を収容するための開口３００ａを持つ。
【００１４】
いずれにしても、光ピックアップアクチュエータ２００は、光学ベース３００への実装に際してはスキュー角調整が行われ、その後に光学ベース３００に固定される。
【００１５】
スキュー角調整は、３つのＬ形状部６３〜６５を利用して行われる。つまり、本例では、Ｌ形状部６４を支点として作用させるべく、このＬ形状部６４と光学ベース３００との間をコ字形状のばね板３４０で挟み付けた状態にする。なお、ばね板３４０が外れたり、位置がずれることを防ぐために、ばね板３４０においてＬ形状部６４の貫通穴６４ａに対応する箇所には、これに嵌合するような半球状の突起が形成されている。光学ベース３００においてＬ形状部６３、６５のネジ穴６３ａ、６５ａに対応する箇所にはそれぞれ、ネジ８３、８５を挿通するための貫通穴３０３、３０５が設けられている。光学ベース３００の図中下面側から上記貫通穴３０３、３０５を通してネジ穴６３ａ、６５ａにネジ８３、８５を螺入する。そして、それらのねじ込み量を微調整することで光ピックアップアクチュエータ２００を光学ベース３００の実装面（基準面）に対して回動させ、スキュー角を所定の値に設定する。この設定作業が終了したら、光ピックアップアクチュエータ２００を光学ベース３００に対して、硬度の高いＵＶ接着剤９１で接着固定する。図示の例では、光学ベース３００の開口３００ａに収容された光ピックアップアクチュエータ２００は、光ピックアップアクチュエータ２００と光学ベース３００との間の隙間に硬度の高いＵＶ接着剤９１を６箇所で塗布することにより、光学ベース３００に接着固定されている。
【００１６】
ところが、前述したように光ピックアップアクチュエータ２００は、薄型化（小型化）される傾向にある。その結果、光ピックアップアクチュエータ２００の製造ばらつきのために、光ピックアップアクチュエータ２００のバランスをとることが困難になってきている。ここで、光ピックアップアクチュエータ２００の「バランス」とは、光ピックアップアクチュエータ２００のレンズホルダ３０の重心と、トラッキングコイル４２およびフォーカシングコイル４１の位置で規定される駆動中心とを一致されることをいう。すなわち、光ピックアップアクチュエータ２００の小型化（製造ばらつき）のために、レンズホルダ３０の重心と駆動中心との間にズレが発生してしまう。その結果、図７の丸で囲んだ箇所で示されるように、従来の光ピックアップでは共振が発生するという問題がある。ここで、図７は光ピックアップの周波数特性を示す図で、（ａ）はゲイン特性を示し、（ｂ）は位相特性を示す。
【００１７】
【特許文献１】特開２００３−２７２２２０号公報
【発明の開示】
【発明が解決しようとする課題】
【００１８】
そこで、本発明の技術的課題は、共振を抑制することができる光ピックアップを提供することにある。
【００１９】
本発明の他の技術的課題は、薄型化に寄与し得る構造の光ピックアップを提供することにある。
【課題を解決するための手段】
【００２０】
本発明によれば、対物レンズ（７１）を揺動可能に支持する光ピックアップアクチュエータ（２００）と、該光ピックアップアクチュエータを収容する開口（３００ａ）を持つ光学ベース（３００）とを有する光ピックアップにおいて、前記開口（３００ａ）に収容された前記光ピックアップアクチュエータ（２００）が弾性樹脂材料（９１Ａ）を使用して前記光学ベース（３００）に揺動可能に保持されていることを特徴とする光ピックアップが得られる。
【００２１】
上記光ピックアップにおいて、前記弾性樹脂材料は、例えば、ダンピングの高いＵＶ接着剤であって良い。前記開口（３００ａ）に収容された前記光ピックアップアクチュエータ（２００）は、前記光ピックアップアクチュエータと前記光学ベースとの間の隙間に前記弾性樹脂材料（９１Ａ）を複数個所で塗布することにより、前記光学ベース（３００）に揺動可能に保持されて良い。その代わりに、前記開口（３００ａ）に収容された前記光ピックアップアクチュエータ（２００）は、前記光ピックアップアクチュエータと前記光学ベースとの間の隙間に前記弾性樹脂材料を全周に渡って塗布することにより、前記光学ベース（３００）に揺動可能に保持されて良い。
【００２２】
ここで、上記括弧内の参照符号は本発明の理解を容易にするために付した一例であって、本発明は、上記参照符号で示された例に限定されるものではないことは勿論である。
【発明の効果】
【００２３】
本発明によれば、光学ピックアップアクチュエータを弾性樹脂材料を使用して光学ベースに揺動可能に保持しているので、光ピックアップの共振を抑制することが可能となる。
【発明を実施するための最良の形態】
【００２４】
図８を参照して、本発明の第１の実施の形態による光ピックアップについて説明する。本光ピックアップも２波長対応型である。図８は本発明の第１の実施の形態による光ピックアップの底面図である。
【００２５】
図示の光ピックアップは、硬度の高いＵＶ接着剤９１の代わりに、ダンピングの高いＵＶ接着剤９１Ａを使用している点を除いて、図５に示した従来の光ピックアップと同様の構成を有する。従って、従来の光ピックアップと同様の機能を有するものには同一の参照符号を付し、説明の簡略化のためにそれらの説明については省略する。
【００２６】
光学ベース３００の開口３００ａに収容された光学ピックアップアクチュエータ２００は、ダンピングの高いＵＶ接着剤９１Ａを使用して光学ベース３００に揺動可能に保持されている。ダンピングの高いＵＶ接着剤９１Ａはアクリル系樹脂の一種の変性アクリレート等から成る弾性樹脂材料の一種である。
【００２７】
図示の例では、光学ベース３００の開口３００ａに収容された光学ピックアップアクチュエータ２００は、光学ピックアップアクチュエータ２００と光学ベース３００との間の隙間にダンピングの高いＵＶ接着剤９１Ａを６箇所で塗布することにより、光学ベース３００に揺動可能に保持されている。
【００２８】
このように、本実施の形態では、光学ピックアップアクチュエータ２００をダンピングの高いＵＶ接着剤９１Ａを使用して光学ベース３００に揺動可能に保持しているので、図９の丸で囲んだ箇所で示されるように、光ピックアップの共振を抑制することが可能となる。換言すれば、光ピックアップの製造ばらつきによる不具合を抑えることができる。ここで、図９は光ピックアップの周波数特性を示す図で、（ａ）はゲイン特性を示し、（ｂ）は位相特性を示す。
【００２９】
図１０を参照して、本発明の第２の実施の形態による光ピックアップについて説明する。本光ピックアップも２波長対応型である。図１０は本発明の第２の実施の形態による光ピックアップの底面図である。
【００３０】
図示の光ピックアップは、ダンピングの高いＵＶ接着剤９１Ａの塗布の仕方が相違する点を除いて、図８に示した光ピックアップと同様の構成を有する。すなわち、図示の例では、光学ベース３００の開口３００ａに収容された光学ピックアップアクチュエータ２００は、光学ピックアップアクチュエータ２００と光学ベース３００との間の隙間にダンピングの高いＵＶ接着剤９１Ａを全周に渡って塗布することにより、光学ベース３００に揺動可能に保持されている。
【００３１】
本第２の実施の形態に係る光ピックアップにおいても、図９に示された光ピックアップの周波数特性と同様に、共振を抑制することが可能となる。換言すれば、光ピックアップの製造ばらつきによる不具合を抑えることができる。
【産業上の利用可能性】
【００３２】
本発明に係る光ピックアップは、光ディスクドライブ、特に、薄型の光ディスクドライブに最適であり、光ディスク（ＣＤ，ＣＤ−ＲＯＭ，ＣＤ−Ｒ，ＣＤ−ＲＷ，ＤＶＤ−ＲＯＭ、ＤＶＤ＋Ｒ、ＤＶＤ−Ｒ、ＤＶＤ−ＲＡＭ、ＤＶＤ＋ＲＷ、ＤＶＤ−ＲＷ、等）に記録された情報を読み出したり、あるいは情報を書き込んだりするための光ディスクドライブ全般に適用可能である。勿論、２波長対応光ピックアップに限定されるものでもなく、１波長単独の光ピックアップにも適用可能である。
【図面の簡単な説明】
【００３３】
【図１】従来の光ピックアップアクチュエータの組立て前の分解斜視図である。
【図２】図１に示された光ピックアップアクチュエータの組立て後の斜視図である。
【図３】図２に示された光ピックアップアクチュエータを示す図で、（ａ）は平面図、（ｂ）は正面図、（ｃ）は左側面図、（ｄ）は右側面図、（ｅ）は底面図である。
【図４】図２に示された光ピックアップアクチュエータを光学ベースに実装した状態（光ピックアップ）を示す斜視図である。
【図５】図４に示された光ピックアップの底面図である。
【図６】図４に示された光ピックアップに用いられる光学ベースを示す図で、（ａ）は平面図、（ｂ）は正面図、（ｃ）は底面図である。
【図７】従来の光ピックアップの周波数特性を示す図で、（ａ）はゲイン特性を示し、（ｂ）は位相特性を示す。
【図８】本発明の第１の実施の形態による光ピックアップの底面図である。
【図９】図８に示された光ピックアップの周波数特性を示す図で、（ａ）はゲイン特性を示し、（ｂ）は位相特性を示す。
【図１０】本発明の第２の実施の形態による光ピックアップの底面図である。
【符号の説明】
【００３４】
３０    対物レンズホルダ
４０    ボビン
４１    フォーカシングコイル
４２    トラッキングコイル
４３    マグネット
５０    ダンパベース
５１    サスペンションワイヤ
６０    ヨーク
７１    対物レンズ
９１Ａ    ダンピングの高いＵＶ接着剤
２００    光ピックアップアクチュエータ
３００    光学ベース
【図１】
2006066005.tif 000003
【図２】
2006066005.tif 000004
【図３】
2006066005.tif 000005
【図４】
2006066005.tif 000006
【図５】
2006066005.tif 000007
【図６】
2006066005.tif 000008
【図７】
2006066005.tif 000009
【図８】
2006066005.tif 000010
【図９】
2006066005.tif 000011
【図１０】
2006066005.tif 000012